(57)【要約】      （修正有）【課題】小型化が可能で安価なエコー抑制機能を有するイヤホンマイクを提供する。【解決手段】イヤホンマイクは、１つのスピーカ２１と、第１及び第２マイクロホン２２ａ、２２ｂと、音響空間が形成される本体筐体２３と、第１及び第２マイクロホンのうちの少なくとも一方から出力される音声信号を増幅する出力制御部と、を備える。音響空間は、放音道２３２、第１集音道２３３、及び第２集音道２３４を含む。放音道ではスピーカの出力音声が伝播する。第１集音道は本体筐体の外部に連通する。第１集音道では第１マイクロホンに入力される音声が伝播する。第２集音道では第２マイクロホンに入力される音声が伝播する。放音道は、本体筐体の外部に連通する一方の経路と、第２集音道に連通する他方の経路とに分岐する。イヤホンマイクは、音声信号の増幅により、本体筐体の外部音源からの入力音声を集音するとともにスピーカの出力音声の集音を抑制する。【選択図】図３
2014160948.tif 000002
【特許請求の範囲】
【請求項１】
１つのスピーカと、第１及び第２マイクロホンと、音響空間が形成される本体筐体と、第１及び第２マイクロホンのうちの少なくとも一方から出力される音声信号を増幅する出力制御部と、を備え、
前記音響空間は、前記スピーカの出力音声が伝播する放音道と、前記本体筐体の外部に連通し、第１マイクロホンに入力される音声が伝播する第１集音道と、第２マイクロホンに入力される音声が伝播する第２集音道と、を含み、
前記放音道は、前記本体筐体の外部に連通する一方の経路と、第２集音道に連通する他方の経路と、に分岐し、
前記音声信号の増幅により、前記本体筐体の外部音源からの入力音声を集音するとともに、前記スピーカの前記出力音声の集音を抑制することを特徴とするイヤホンマイク。
【請求項２】
前記音声信号の音圧レベルを検出する音圧検出部と、
前記音圧検出部の検出結果に基づいて、前記音声信号の増幅率を設定する増幅率調整部と、
をさらに備え、
前記音声信号の増幅率は、
第１マイクロホンに入力される前記スピーカの前記出力音声に基づく第１音声信号の第１音圧レベルと、第２マイクロホンに入力される前記出力音声に基づく第２音声信号の第２音圧レベルとの差が、前記音声信号の増幅前よりも前記音声信号の増幅後の方が小さくなり、且つ、
第１マイクロホンに入力される前記外部音源からの前記入力音声に基づく第１音声信号の第３音圧レベル、及び第２マイクロホンに入力される前記入力音声に基づく第２音声信号の第４音圧レベルのうちの一方が他方よりも大きくなるように設定されることを特徴とする請求項１に記載のイヤホンマイク。
【請求項３】
前記音声信号の増幅率は、
第１音圧レベルが第２音圧レベルとほぼ等しくなり、且つ、第３及び第４音圧レベルのうちの一方が他方よりも大きくなるように設定されることを特徴とする請求項２に記載のイヤホンマイク。
【請求項４】
前記音声信号の増幅率は、
第１音圧レベルが第２音圧レベルとほぼ等しくなり、且つ、第３及び第４音圧レベルの差が最も大きくなるように設定されることを特徴とする請求項３に記載のイヤホンマイク。
【請求項５】
第１マイクロホンから出力される第１音声信号は、第２マイクロホンから出力される第２音声信号よりも大きく増幅されることを特徴とする請求項１〜請求項４のいずれかに記載のイヤホンマイク。
【発明の詳細な説明】
【技術分野】
【０００１】
本発明は、イヤホンマイクに関し、特にスピーカとマイクロホンとを搭載するイヤホンマイクに関する。
【背景技術】
【０００２】
従来、スピーカとマイクロホンとを内蔵するイヤホンマイクが知られている。ユーザは、耳に装着したイヤホンマイクを通じて、スピーカから出力される話し声などの音声を聴きながら、マイクロホンに入力されるユーザの音声を送話することができる。そのため、携帯電話機などのハンズフリー通信などに利用されている。
【０００３】
ところが、ユーザの外耳道内に放音されるスピーカの音声は、ユーザの鼓膜や外耳道内などで反響し、イヤホンマイクにノイズ（エコー成分）として入力される。そのため、イヤホンマイクに内蔵されるマイクロホンは、ユーザの音声のほかに、スピーカから出力される音声のエコー成分も拾ってしまう。従って、イヤホンマイクから送話される音声にエコー成分がノイズとして混ざるという問題があった。
【０００４】
そのため、たとえば特許文献１のように、エコーキャンセル機能を有するイヤホンマイクが知られている。特許文献１のイヤホンマイクでは、２つのスピーカと、マイクロホンとを内蔵している。一方のスピーカは話し声などの音声を出力し、他方のスピーカは、一方のスピーカから出力される音声のエコー成分を打ち消すための音声を出力する。マイクロホンには、一方のスピーカから出力される音声のエコー成分と、他方のスピーカの音声とを入力させ、両者を互いに打ち消し合わせることにより、エコー成分を抑制している。
【先行技術文献】
【特許文献】
【０００５】
【特許文献１】特開２００７−２０１８８７号公報
【発明の概要】
【発明が解決しようとする課題】
【０００６】
しかしながら、特許文献１のイヤホンマイクは、本体筐体に複数のスピーカを内蔵するため、本体筐体の内部において、スピーカ及びその音道を搭載するためのスペースが増加する。従って、本体筐体を小型化し難いという問題があった。また、製造コストがかかるため、比較的高価になるという問題もあった。
【０００７】
本発明は、このような状況を鑑みてなされたものであり、小型化が可能で安価なエコー抑制機能を有するイヤホンマイクを提供することを目的とする。
【課題を解決するための手段】
【０００８】
上記目的を達成するために、本発明の一の局面によるイヤホンマイクは、１つのスピーカと、第１及び第２マイクロホンと、音響空間が形成される本体筐体と、第１及び第２マイクロホンのうちの少なくとも一方から出力される音声信号を増幅する出力制御部と、を備え、前記音響空間は、前記スピーカの出力音声が伝播する放音道と、前記本体筐体の外部に連通し、第１マイクロホンに入力される音声が伝播する第１集音道と、第２マイクロホンに入力される音声が伝播する第２集音道と、を含み、前記放音道は、前記本体筐体の外部に連通する一方の経路と、第２集音道に連通する他方の経路と、に分岐し、前記音声信号の増幅により、前記本体筐体の外部音源からの入力音声を集音するとともに、前記スピーカの前記出力音声の集音を抑制することを特徴とする。
【０００９】
上記構成によれば、イヤホンマイクは１つのスピーカを備える。また、放音道は、本体筐体の外部に連通する一方の経路と、第２集音道と連通する他方の経路と、に分岐する。そのため、スピーカの出力音声は、一方の経路及び第１集音道を経由して第１マイクロホンに伝播するとともに、他方の経路及び第２集音道を経由して第２マイクロホンにも伝播する。さらに、イヤホンマイクは、第１及び第２マイクロホンのうちの少なくとも一方から出力される音声信号の増幅により、外部音源からの入力音声を集音するとともに、スピーカの出力音声の集音を抑制する。そのため、イヤホンマイクは、複数のスピーカを必要とすることなく、スピーカの出力音声のエコー抑制機能を実現することができる。さらに、イヤホンマイクは、スピーカの出力音声に由来するノイズを抑制しつつ、入力音声を送話することができる。従って、小型化が可能で安価なエコー抑制機能を有するイヤホンマイクを提供することができる。
【００１０】
また、上記構成において、前記音声信号の音圧レベルを検出する音圧検出部と、前記音圧検出部の検出結果に基づいて、前記音声信号の増幅率を設定する増幅率調整部と、をさらに備え、前記音声信号の増幅率は、第１マイクロホンに入力される前記スピーカの前記出力音声に基づく第１音声信号の第１音圧レベルと、第２マイクロホンに入力される前記出力音声に基づく第２音声信号の第２音圧レベルとの差が、前記音声信号の増幅前よりも前記音声信号の増幅後の方が小さくなり、且つ、第１マイクロホンに入力される前記外部音源からの前記入力音声に基づく第１音声信号の第３音圧レベル、及び第２マイクロホンに入力される前記入力音声に基づく第２音声信号の第４音圧レベルのうちの一方が他方よりも大きくなるように設定されてもよい。
【００１１】
この構成によれば、音圧検出部の検出結果に基づいて、増幅率調整部は音声信号の増幅率を設定する。また、増幅率の設定により、第１及び第２マイクロホンに入力されるスピーカの出力音声を互いに弱め合うようにすることができる。一方、第１及び第２マイクロホンに入力される外部音源の入力音声（たとえばユーザの話し声など）は互いに打ち消し合わないようにすることができる。従って、スピーカの出力音声に由来するノイズを抑制しつつ、入力音声を送話することができる。
【００１２】
また、上記構成において、前記音声信号の増幅率は、第１音圧レベルが第２音圧レベルとほぼ等しくなり、且つ、第３及び第４音圧レベルのうちの一方が他方よりも大きくなるように設定されてもよい。
【００１３】
この構成によれば、音声信号の増幅率の設定により、第１及び第２マイクロホンに入力されるスピーカの出力音声が互いに打ち消し合うようにすることができる。一方、第１及び第２マイクロホンに入力される外部音源の入力音声（たとえばユーザの話し声など）は互いに打ち消し合わないようにすることができる。従って、スピーカの出力音声をノイズとして混入させることなく、入力音声を送話することができる。
【００１４】
さらに、上記構成において、前記音声信号の増幅率は、第１音圧レベルが第２音圧レベルとほぼ等しくなり、且つ、第３及び第４音圧レベルの差が最も大きくなるように設定されてもよい。
【００１５】
この構成によれば、音声信号の増幅率の設定により、第１及び第２マイクロホンに入力されるスピーカの出力音声が互いに打ち消し合うようにすることができる。一方、第１及び第２マイクロホンに入力される外部音源の入力音声（たとえばユーザの話し声など）が最も大きくなるようにすることができる。従って、スピーカの出力音声をノイズとして混入させることなく、入力音声を送話することができる。
【００１６】
また、上記構成において、第１マイクロホンから出力される第１音声信号は、第２マイクロホンから出力される第２音声信号よりも大きく増幅されてもよい。
【００１７】
この構成によれば、第１音声信号が第２音声信号よりも大きく増幅される。第１マイクロホンよりも第２マイクロホンの方がより多くの経路からスピーカの出力音声が入力される。そのため、通常、第１音声信号の第１音圧レベルは第２音声信号の第２音圧レベルよりも小さくなる。従って、第１音声信号を第２音声信号よりも大きく増幅することにより、第１及び第２音声信号のうちの少なくとも一方の増幅率をさほど大きくすることなく、エコー抑制機能を実現することができる。
【発明の効果】
【００１８】
本発明によれば、小型化が可能で安価なエコー抑制機能を有するイヤホンマイクを提供することができる。
【図面の簡単な説明】
【００１９】
【図１】イヤホンマイクの外観斜視図である。
【図２】イヤホンマイクがユーザの外耳道に装着された状態を示す図である。
【図３】第１実施形態における本体部の断面図である。
【図４】第１実施形態においてユーザの外耳道側から見た本体部の正面図である。
【図５】本体部の側面図である。
【図６Ａ】第１実施形態における第２及び第３開口部の他の形成例を示す正面図である。
【図６Ｂ】第１実施形態における第２及び第３開口部の他の形成例を示す正面図である。
【図６Ｃ】第１実施形態における第２及び第３開口部の他の形成例を示す正面図である。
【図７】制御ユニットの構成を示すブロック図である。
【図８】第１実施形態において第１及び第２マイクロホンに入力されるスピーカの出力音声の伝播経路を示す概念構成図である。
【図９】第１実施形態における出力音声の集音ブロック図である。
【図１０】第１実施形態において第１及び第２マイクロホンに入力される外部音源からの入力音声の伝播経路を示す概念構成図である。
【図１１】第１実施形態における入力音声の集音ブロック図である。
【図１２】第２実施形態に係るイヤホンマイクの概念構成図である。
【図１３】第２実施形態においてユーザの外耳道側から見た本体部の正面図である。
【図１４Ａ】第２実施形態における第２及び第３開口部の他の形成例を示す正面図である。
【図１４Ｂ】第２実施形態における第２及び第３開口部の他の形成例を示す正面図である。
【図１５】第２実施形態において第１及び第２マイクロホンに入力されるスピーカの出力音声の伝播経路を示す概念構成図である。
【図１６】第２実施形態における出力音声の集音ブロック図である。
【図１７】第２実施形態において第１及び第２マイクロホンに入力される外部音源からの入力音声の伝播経路を示す概念構成図である。
【図１８】第２実施形態における入力音声の集音ブロック図である。
【図１９】第１実施形態に係るイヤホンマイクの他の一例を示す概念構成図である。
【図２０】第２実施形態に係るイヤホンマイクの他の一例を示す概念構成図である。
【発明を実施するための形態】
【００２０】
以下に、図面を参照して、本発明の実施形態を説明する。
＜第１実施形態＞
（イヤホンマイクの構成）
【００２１】
図１は、イヤホンマイクの外観斜視図である。イヤホンマイク１は、たとえば携帯電話機などの電子機器（不図示）に接続される放集音装置である。図１に示すように、イヤホンマイク１は、本体部２と、制御ユニット３と、第１ケーブル４１と、第２ケーブル４２と、コネクタ５と、を備えている。
【００２２】
本体部２は、ユーザの耳に装着され、出力音声を放音するとともに、外部音源からの入力音声（たとえばユーザの話し声など）を集音する。なお、本体部２及び制御ユニット３の具体的な構成については後に詳述する。第１ケーブル４１は、本体部２と制御ユニット３との間に接続され、本体部２と制御ユニット３との間の信号を送受信する信号線である。第２ケーブル４２は、制御ユニット３とコネクタ５との間に接続され、イヤホンマイク１が接続される電子機器（不図示）と制御ユニット３との間の信号をコネクタ５を介して送受信する信号線である。コネクタ５は、電子機器（不図示）のインターフェースに接続される入出力端子である。
【００２３】
図２は、イヤホンマイクがユーザの外耳道に装着された状態を示す図である。図２に示すように、イヤホンマイク１は、ユーザの耳ＥＡＲに装着され、電子機器（不図示）から出力される音声信号に基づく音声をユーザの鼓膜Ｅ１に向けて放音する。また、ユーザが発する音声は口から放音されるだけではなく、その音声の一部は、頭蓋骨や顔の筋肉などを伝わって鼓膜Ｅ１から外耳道Ｅ２に放音される。イヤホンマイク１は、そのようなユーザの話し声などの音声（すなわち外部音源からの入力音声）を集音し、さらに、集音した音声に基づく音声信号を生成して電子機器（不図示）に出力する。なお、イヤホンマイク１が接続される電子機器は特に限定されない。
【００２４】
ここで、イヤホンマイク１からユーザの外耳道Ｅ２内に放音される出力音声は、ユーザの鼓膜Ｅ１や外耳道Ｅ２などで反響し、イヤホンマイク１にノイズとして入力される。以下では、このノイズをエコー成分と呼ぶ。イヤホンマイク１は、後述するように、このようなエコー成分に由来するノイズを抑制するためのエコー抑制機能を有している。そのため、イヤホンマイク１は、ノイズ（特に出力音声のエコー成分）が抑制された鮮明な音声を集音することができる。
【００２５】
次に、本体部２の構成について詳細に説明する。図３は、第１実施形態における本体部の断面図である。また、図４は、第１実施形態においてユーザの外耳道側から見た本体部の正面図である。また、図５は、本体部の側面図である。なお、図３は、図４の一点鎖線Ａ−Ａに沿う本体部２の断面構造を示している。
【００２６】
図３に示すように、本体部２は、スピーカ２１と、第１マイクロホン２２ａと、第２マイクロホン２２ｂと、本体筐体２３と、イヤーパッド２５と、を含んで構成されている。
【００２７】
スピーカ２１は、出力音声を出力する放音孔２１ａを有する音声出力ユニットである。スピーカ２１は、第１ケーブル４１と電気的に接続され、コネクタ５を介して電子機器（不図示）から伝送される音声信号に基づく出力音声を出力する。なお、図３では、スピーカ２１の放音孔２１ａは放音道２３２が延びる方向と略垂直な方向に向いているが、スピーカ２１の向きは図３の例示に限定しない。スピーカ２１の向きは、たとえば後述する放音道２３２が延びる方向と略平行であってもよい。
【００２８】
第１及び第２マイクロホン２２ａ、２２ｂは、音声入力ユニットであり、第１ケーブル４１を介して制御ユニット３（特に後述する制御回路部３２）と電気的に接続されている。第１及び第２マイクロホン２２ａ、２２ｂは、特に限定しないが、たとえば、ＭＥＭＳマイク、ＥＣＭマイクなどを用いることができる。第１マイクロホン２２ａは、第１集音孔２２１ａを有し、第１集音孔２２１ａに入力される音声に基づいて第１音声信号を生成する。また、第２マイクロホン２２ｂは、第２集音孔２２１ｂを有し、第２集音孔２２１ｂに入力される音声に基づいて第２音声信号を生成する。生成された第１及び第２音声信号は、第１ケーブル４１を介して制御ユニット３に出力される。なお、図３では、第１及び第２集音孔２２１ａ、２２１ｂは後述する各音道（たとえば放音道２３２など）が延びる方向と略平行な方向に並んで配置されているが、これらの配置方向は図３の例示に限定しない。
【００２９】
本体筐体２３には、１つのスピーカ２１と、第１及び第２マイクロホン２２ａ、２２ｂとが搭載されている。また、本体筐体２３には、図３〜図５に示すように、挿通部２３ａが形成されている。この挿通部２３ａには、本体部２が図２のようにユーザの耳ＥＡＲに装着される際にユーザの鼓膜Ｅ１と対向する面に、図４に示すように、イヤホンマイク１に音声を入出力するための第２及び第３開口部２３１ｂ、２３１ｃが形成されている。
【００３０】
なお、挿通部２３ａに形成される第２及び第３開口部２３１ｂ、２３１ｃの形状は特に限定しない。図６Ａ〜図６Ｃは、第１実施形態における第２及び第３開口部の他の形成例を示す正面図である。第２及び第３開口部２３１ｂ、２３１ｃの形状は、たとえば、円形（図６Ａ）、四角形（図６Ｂ）及び三角形（図６Ｃ）などの多角形状であってもよい。また、第２及び第３開口部２３１ｂ、２３１ｃの形状及びサイズは、ほぼ同じであってもよいし、それぞれ異なっていてもよい。
【００３１】
また、本体筐体２３の内部には、図３に示すように、放音道２３２と第１集音道２３３と第２集音道２３４とを含む音響空間が形成されている。
【００３２】
放音道２３２は、スピーカ２１の出力音声が伝播する音道である。この放音道２３２には、スピーカ２１が配置されているとともに、第２集音道２３４と連通する第１開口部２３１ａが形成されている。そのため、放音道２３２は、スピーカ２１から本体筐体２３の外部に連通する一方の経路と、第１開口部２３１ａを介して第２集音道２３４と連通する他方の経路と、に分岐している。一方の経路は、第２開口部２３１ｂと連通しており、スピーカ２１の放音孔２１ａから出力される出力音声を第２開口部２３１ｂを介して本体筐体２３の外部に放音する。他方の経路は、出力音声を第１開口部２３１ａを介して第２集音道２３４に伝播させる。なお、放音道２３２及び第２集音道２３４との間には、図３に示す第１開口部２３１ａに代えて、放音道２３２と第２集音道２３４とを連通させるための分岐音道が形成されていてもよい。
【００３３】
第１集音道２３３は、第１集音孔２２１ａに入力される音声が伝播する音道であり、第３開口部２３１ｃと連通している。第１集音道２３３には、本体筐体２３の外部からの音声が、第３開口部２３１ｃを経由して伝播する。たとえば、スピーカ２１の出力音声のエコー成分、及び外部音源からの入力音声（たとえば鼓膜Ｅ１及び外耳道Ｅ２を経由して伝播するユーザの話し声など）などが伝播する。第１集音道２３３はこれらの音声を第１集音孔２２１ａに導く。
【００３４】
また、第２集音道２３４は、第２集音孔２２１ｂに入力される音声が伝播する音道である。第２集音道２３４には、スピーカ２１の出力音声のエコー成分、及び外部音源からの入力音声などの音声が本体筐体２３の外部から第２開口部２３１ｂ、放音道２３２、第１開口部２３１ａを経由して伝播する。さらに、第２集音道２３４には、出力音声がスピーカ２１から放音道２３２及び第１開口部２３１ａを経由して直接に伝播する。第２集音道２３４はこれらの音声を第２集音孔２２１ｂに導く。
【００３５】
イヤーパッド２５は、たとえば、樹脂材料、ゴム材料などを用いて形成されており、挿通部２３ａに被せられている。本体部２がユーザの耳ＥＡＲに装着される際（図２参照）、イヤーパッド２５は、挿通部２３ａはとともに、ユーザの外耳道Ｅ２内に挿通される。このとき、イヤーパッド２５は、挿通部２３ａとユーザの外耳道Ｅ２の開口部との間をほぼ隙間なく密閉する。そのため、挿通部２３ａと外耳道Ｅ２の開口部との間から入り込む外部の音をほぼ遮断することができる。
【００３６】
次に、制御ユニット３の構成について説明する。図７は、制御ユニット３の構成を示すブロック図である。図７に示すように、制御ユニット３は、操作部３１と、制御回路部３２と、電源部３３と、筐体部３５と、を含んで構成される。
【００３７】
操作部３１は、たとえばスピーカ２１の音量の調節などのユーザの入力操作を受け付ける。
【００３８】
制御回路部３２は、イヤホンマイク１の各構成部を制御する。図７に示すように、制御回路部３２は、出力制御部３２１と、音圧検出部３２２と、増幅率調整部３２３と、を含んで構成されている。
【００３９】
出力制御部３２１は、第１及び第２マイクロホン２２ａ、２２ｂから伝送される第１及び第２音声信号をそれぞれゲインＫ１（第１増幅率）、ゲインＫ２（第２増幅率）で増幅する。また、出力制御部３２１は、増幅した第１及び第２音声信号の差分音声信号を生成する。この差分音声信号は、第２ケーブル４２及びコネクタ５を介して、イヤホンマイク１が接続される電子機器（不図示）に伝送される。
【００４０】
音圧検出部３２２は、第１及び第２マイクロホン２２ａ、２２ｂから制御回路部３２に伝送される第１及び第２音声信号の音圧レベルを検出する。なお、音圧検出部３２２が音圧レベルを検出するタイミングは特に限定されない。検出するタイミングは、リアルタイムであってもよいし、所定時間毎であってもよい。
【００４１】
増幅率調整部３２３は、音圧検出部３２２の検出結果に基づいて、出力制御部３２１で用いられるゲインＫ１、Ｋ２を自動的に設定する。ゲインＫ１、Ｋ２の設定方法については後述する。なお、増幅率調整部３２３は、操作部３１でのユーザ入力に基づいてゲインＫ１、Ｋ２を設定してもよい。また、増幅率調整部３２３がゲインＫ１、Ｋ２を自動的に設定するタイミングは特に限定されない。ゲインＫ１、Ｋ２は、スピーカ２１の出力音声及びそのエコー成分が支配的に第１及び第２マイクロホン２２ａ、２２ｂに入力されている状態において、後述する数式１（又は数式３）を満たすように自動的に設定される。また、ゲインＫ１、Ｋ２は、外部音源の入力音声（ユーザの話し声など）が支配的に第１及び第２マイクロホン２２ａ、２２ｂに入力されている状態において、後述する数式２（又は数式４）を満たすように自動的に設定される。さらに、各ゲインＫ１、Ｋ２は、操作部３１から入力されたユーザの操作入力により調整できるようにしてもよい。
【００４２】
電源部３３は、制御回路部３２及びその他の構成部に駆動電力を供給する小型のバッテリーである。電源部３３としては、たとえば、ボタン型電池、リチウムイオン電池、及びリチウムポリマー電池などを挙げることができるが、特に限定はされない。
【００４３】
筐体部３５は、操作部３１、制御回路部３２、及び電源部３３などを搭載するハウジングである。また、筐体部３５の外側には操作部３１が配置されている（図１参照）。また、操作部３１の反対側には、筐体部３５をユーザの衣服（たとえば襟、ポケットなど）に止めておくための留め具（不図示）が設けられている。
（イヤホンマイクのエコー抑制機能）
【００４４】
次に、第１実施形態に係るイヤホンマイク１のエコー抑制機能について、スピーカ２１の出力音声が第１及び第２マイクロホン２２ａ、２２ｂに集音される場合と、外部音源からの入力音声（たとえばユーザの話し声など）が第１及び第２マイクロホン２２ａ、２２ｂに集音される場合とに分けて説明する。
（（スピーカの出力音声が第１及び第２マイクロホンに集音される場合））
【００４５】
まず、スピーカ２１の出力音声が第１及び第２マイクロホン２２ａ、２２ｂに集音される場合について説明する。図８は、第１実施形態において第１及び第２マイクロホンに入力されるスピーカの出力音声の伝播経路を示す概念構成図である。また、図９は、第１実施形態における出力音声の集音ブロック図である。なお、図８では、便宜上、スピーカ２１の放音方向を放音道２３２と略平行な方向に向けている。
【００４６】
図８に示すように、スピーカ２１から出力される音圧Ｐ１の出力音声は、スピーカ２１から放音道２３２及び第２開口部２３１ｂを経由して外耳道Ｅ２に放音される。外耳道Ｅ２に放音された出力音声は、ユーザの鼓膜Ｅ１及び外耳道Ｅ２の内壁などで反響される。このエコー成分は、第１集音道２３３及び放音道２３２に伝播する。
【００４７】
第１集音道２３３に伝播するエコー成分は、第３開口部２３１ｃ及び第１集音道２３３を経由して、第１集音孔２２１ａに入力される。第１マイクロホン２２ａは、図９に示すように、第１集音孔２２１ａに入力されたエコー成分の第１音圧に応じた第１音圧レベルＭ１の第１音声信号を生成し、制御回路部３２に出力する。
【００４８】
一方、放音道２３２に伝播するエコー成分は、第２開口部２３１ｂ、放音道２３２、第１開口部２３１ａ、及び第２集音道２３４を経由して、第２集音孔２２１ｂに入力される。また、第２集音孔２２１ｂには、スピーカ２１の放音孔２１ａから放音道２３２、第１開口部２３１ａ、及び第２集音道２３４を経由して、スピーカ２１の出力音声が直接に入力される。すなわち、第２集音孔２２１ｂには、出力音声及びエコー成分を含む音声が入力される。第２マイクロホン２２ｂは、図９に示すように、第２集音孔２２１ｂに入力された音声の第２音圧に応じた第２音圧レベルＭ２の第２音声信号を生成し、制御回路部３２に出力する。
【００４９】
音圧検出部３２２は、制御回路部３２に伝送される第１及び第２音声信号の第１及び第２音圧レベルＭ１、Ｍ２を検出する。増幅率調整部３２３は、音圧検出部３２２により検出された第１及び第２音圧レベルＭ１、Ｍ２が次の数式１を満たすように、ゲインＫ１、Ｋ２を設定する。
｜（Ｋ１＊Ｍ１）−（Ｋ２＊Ｍ２）｜≒０      （数式１）
Ｋ１≒（Ｍ２／Ｍ１）＊Ｋ２
【００５０】
すなわち、増幅率調整部３２３は、増幅後の第１音声信号の第１音圧レベル（Ｋ１＊Ｍ１）と、増幅後の第２音声信号の第２音圧レベル（Ｋ２＊Ｍ２）とがほぼ等しくなるように、各ゲインＫ１、Ｋ２を設定する。出力制御部３２１は、増幅率調整部３２３により設定されたゲインＫ１，Ｋ２を用いて第１及び第２音声信号を増幅し、それらの差分音声信号を生成する。
【００５１】
こうすれば、増幅後の第１及び第２音声信号に基づく差分音声信号の音声レベルはほぼ０となる。すなわち、第１及び第２マイクロホン２２ａ、２２ｂに集音されるスピーカ２１の出力音声及びそのエコー成分をほぼ打ち消すことができる。従って、イヤホンマイク１は、スピーカ２１の出力音声のエコー成分をキャンセルすることができる。
（（外部音源からの入力音声が第１及び第２マイクロホンに集音される場合））
【００５２】
次に、外部音源からの入力音声（たとえばユーザの話し声など）が第１及び第２マイクロホン２２ａ、２２ｂに集音される場合について説明する。図１０は、第１実施形態において第１及び第２マイクロホンに入力される外部音源からの入力音声の伝播経路を示す概念構成図である。また、図１１は、第１実施形態における入力音声の集音ブロック図である。なお、図１０では、便宜上、スピーカ２１の放音方向を放音道２３２と略平行な方向に向けている。
【００５３】
図１０に示すように、イヤホンマイク１が図２のようにユーザの外耳道Ｅ２に装着されるとき、音圧Ｐ２の入力音声（ユーザの話し声など）が鼓膜Ｅ１及び外耳道Ｅ２から第１集音道２３３及び放音道２３２を伝播する。第１集音道２３３を伝播する入力音声は、第３開口部２３１ｃ及び第１集音道２３３を経由して、第１集音孔２２１ａに入力される。第１マイクロホン２２ａは、図１１に示すように、第１集音孔２２１ａに入力された入力音声の第３音圧に応じた第３音圧レベルＮ１の第１音声信号を生成し、制御回路部３２に出力する。
【００５４】
一方、放音道２３２に伝播する入力音声は、第２開口部２３１ｂ、放音道２３２、第１開口部２３１ａ、及び第２集音道２３４を経由して、第２集音孔２２１ｂに入力される。第２マイクロホン２２ｂは、図１１に示すように、第２集音孔２２１ｂに入力された入力音声の第４音圧に応じた第４音圧レベルＮ２の第２音声信号を生成し、制御回路部３２に出力する。
【００５５】
音圧検出部３２２は、制御回路部３２に伝送される第１及び第２音声信号の第３及び第４音圧レベルＮ１、Ｎ２を検出する。増幅率調整部３２３は、音圧検出部３２２により検出された第３及び第４音圧レベルＮ１、Ｎ２が次の数式２を満たすように、ゲインＫ１、Ｋ２を設定する。
｜Ｋ１＊Ｎ１−Ｋ２＊Ｎ２｜＞０      （数式２）
【００５６】
すなわち、増幅率調整部３２３は、増幅後の第１音声信号の第３音圧レベル（Ｋ１＊Ｎ１）と、増幅後の第２音声信号の第４音圧レベル（Ｋ２＊Ｎ２）との差が０よりも大きくなるように、ゲインＫ１、Ｋ２を設定する。出力制御部３２１は、増幅率調整部３２３により設定されたゲインＫ１，Ｋ２を用いて、第１及び第２音声信号を増幅し、それらの差分音声信号を生成する。
【００５７】
こうすれば、増幅後の第１及び第２音声信号に基づく差分音声信号の音声レベルは０より大きくなる。そのため入力音声が互いに打ち消し合うことなく、第１及び第２マイクロホン２２ａ、２２ｂに入力される外部音源からの入力音声（ユーザの話し声など）を送話することができる。
（（エコー成分の抑制））
【００５８】
実際には、第１及び第２マイクロホン２２ａ、２２ｂでは、スピーカ２１の出力音声と、外部音源からの入力音声（ユーザの話し声など）とが同時に集音される。そのため、ゲインＫ１、Ｋ２は、上述の数式２を満たす条件において、上述の数式１の左辺がより小さくなるように設定される。こうすれば、イヤホンマイク１にエコー抑制機能を実現することができるとともに、エコー抑制機能によりスピーカ２１の出力音声のエコー成分を抑制した入力音声を電子機器（不図示）に送話することができる。
＜第２実施形態＞
【００５９】
次に、第２実施形態のイヤホンマイク１について説明する。図１２は、第２実施形態に係るイヤホンマイクの概念構成図である。また、図１３は、第２実施形態においてユーザの外耳道側から見た本体部の正面図である。
【００６０】
図１２及び図１３に示すように、第２実施形態では、挿通部２３ａの第２及び第３開口部２３１ｂ、２３１ｃの形成面に第４開口部２３１ｄがさらに形成される。また、本体筐体２３の内部の音響空間は、本体筐体２３の外部から第４開口部２３１ｄを介して第２集音道２３４に連通する第３集音道２３５をさらに含む。それ以外は第１実施形態と同様である。以下では、第１実施形態と同様の構成には同一の符号を付して、その説明を省略する。
（イヤホンマイクの構成）
【００６１】
図１２に示すように、第２実施形態では、本体筐体２３の内部に、放音道２３２と第１集音道２３３と第２集音道２３４と第３集音道２３５とを含む音響空間が形成されている。第３集音道２３５は、第４開口部２３１ｄから第２集音道２３４に連通する音道である。第３集音道２３５には、スピーカ２１の出力音声のエコー成分、及び外部音源からの入力音声などの音声が本体筐体２３の外部から伝播する。第３集音道２３５はこれらの音声を第２集音道２３４に導く。
【００６２】
また、図１３に示すように、第２実施形態では、挿通部２３ａには、本体部２がユーザの耳ＥＡＲに装着される際にユーザの鼓膜Ｅ１と対向する面に、３つの開口部（第２〜第４開口部２３１ｂ、２３１ｃ、２３１ｄ）が形成されている。なお、挿通部２３ａに形成される各開口部２３１ｂ、２３１ｃ、２３１ｄの形状は特に限定しない。図１４Ａ及び図１４Ｂは、第２実施形態における第２及び第３開口部の他の形成例を示す正面図である。たとえば、第２〜第４開口部２３１ｂ、２３１ｃ、２３１ｄの形状は、たとえば、円形（図１４Ａ参照）であってもよいし、四角形及び三角形などの多角形状であってもよい。
【００６３】
また、第２〜第４開口部２３１ｂ、２３１ｃ、２３１ｄの形状及びサイズは、ほぼ同じであってもよいし、それぞれ異なっていてもよい。また、第２〜第４開口部２３１ｂ、２３１ｃ、２３１ｄの形状及びサイズは、ほぼ同じであってもよいし、それぞれ異なっていてもよい。また、第２〜第４開口部２３１ｂ、２３１ｃ、２３１ｄは、図１３及び図１４Ａのように所定の方向に並んで配置されてもよいし、図１４Ｂのように各開口部２３１ｂ、２３１ｃ、２３１ｄの中心が仮想の三角形の頂点の位置となるように配置されてもよい。
（イヤホンマイクのエコー抑制機能）
【００６４】
次に、第２実施形態に係るイヤホンマイク１のエコー抑制機能について、スピーカ２１の出力音声が第１及び第２マイクロホン２２ａ、２２ｂに集音される場合と、外部音源からの入力音声（たとえばユーザの話し声など）が第１及び第２マイクロホン２２ａ、２２ｂに集音される場合とに分けて説明する。
（（スピーカの出力音声が第１及び第２マイクロホンに集音される場合））
【００６５】
まず、スピーカ２１の出力音声が第１及び第２マイクロホン２２ａ、２２ｂに集音される場合について説明する。図１５は、第２実施形態において第１及び第２マイクロホンに入力されるスピーカの出力音声の伝播経路を示す概念構成図である。また、図１６は、第２実施形態における出力音声の集音ブロック図である。なお、図１５では、便宜上、スピーカ２１の放音方向を放音道２３２と略平行な方向に向けている。
【００６６】
図１５に示すように、スピーカ２１から出力される音圧Ｐ１の出力音声は、スピーカ２１から放音道２３２及び第２開口部２３１ｂを経由して外耳道Ｅ２に放音される。外耳道Ｅ２に放音された出力音声は、ユーザの鼓膜Ｅ１及び外耳道Ｅ２の内壁などで反響される。このエコー成分は、第１集音道２３３、第３集音道２３５、及び放音道２３２に伝播する。
【００６７】
第１集音道２３３に伝播するエコー成分は、第３開口部２３１ｃ及び第１集音道２３３を経由して、第１集音孔２２１ａに入力される。第１マイクロホン２２ａは、図１６に示すように、第１集音孔２２１ａに入力されたエコー成分の第１音圧に応じた第１音圧レベルＭ１の第１音声信号を生成し、制御回路部３２に出力する。
【００６８】
一方、第３集音道２３５に伝播するエコー成分は、第４開口部２３１ｄ及び第２集音道２３４を経由して、第２集音孔２２１ｂに入力される。また、放音道２３２に伝播するエコー成分は、第２開口部２３１ｂ、放音道２３２、第１開口部２３１ａ、及び第２集音道２３４を経由して、第２集音孔２２１ｂに入力される。さらに、第２集音孔２２１ｂには、スピーカ２１の放音孔２１ａから放音道２３２、第１開口部２３１ａ、及び第２集音道２３４を経由して、スピーカ２１の出力音声が直接に入力される。そのため、第２集音孔２２１ｂには、出力音声と２つの音道を経由して伝播するエコー成分とを含む音声が入力される。第２マイクロホン２２ｂは、図１６に示すように、第２集音孔２２１ｂに入力された音声の第２音圧に応じた第２音圧レベルＭ２の第２音声信号を生成し、制御回路部３２に出力する。
【００６９】
音圧検出部３２２は、伝送される第１及び第２音声信号の第１及び第２音圧レベルＭ１、Ｍ２を検出する。増幅率調整部３２３は、音圧検出部３２２により検出された第１及び第２音圧レベルＭ１、Ｍ２が次の数式３を満たすように、ゲインＫ１、Ｋ２を設定する。
｜（Ｋ１＊Ｍ１）−（Ｋ２＊Ｍ２）｜≒０      （数式３）
Ｋ１≒（Ｍ２／Ｍ１）＊Ｋ２
【００７０】
すなわち、増幅率調整部３２３は、増幅後の第１音声信号の第１音圧レベル（Ｋ１＊Ｍ１）と、増幅後の第２音声信号の第２音圧レベル（Ｋ２＊Ｍ２）とがほぼ等しくなるように、各ゲインＫ１、Ｋ２を設定する。出力制御部３２１は、増幅率調整部３２３により設定されたゲインＫ１，Ｋ２を用いて、第１及び第２音声信号を増幅し、それらの差分音声信号を生成する。
【００７１】
こうすれば、増幅後の第１及び第２音声信号に基づく差分音声信号の音声レベルはほぼ０となる。すなわち、第１及び第２マイクロホン２２ａ、２２ｂに集音されるスピーカ２１の出力音声のエコー成分をほぼ打ち消すことができる。従って、イヤホンマイク１は、スピーカ２１の出力音声のエコー成分をキャンセルすることができる。
（（外部音源からの入力音声が第１及び第２マイクロホンに集音される場合））
【００７２】
次に、外部音源からの入力音声（たとえばユーザの話し声など）が第１及び第２マイクロホン２２ａ、２２ｂに集音される場合について説明する。図１７は、第２実施形態において第１及び第２マイクロホンに入力される外部音源からの入力音声の伝播経路を示す概念構成図である。また、図１８は、第２実施形態における入力音声の集音ブロック図である。なお、図１７では、便宜上、スピーカ２１の放音方向を放音道２３２と略平行な方向に向けている。
【００７３】
図１７に示すように、イヤホンマイク１が図２のようにユーザの外耳道Ｅ２に装着されるとき、音圧Ｐ２の入力音声（ユーザの話し声など）が鼓膜Ｅ１及び外耳道Ｅ２から第１集音道２３３、第２集音道２３５、及び放音道２３２を伝播する。第１集音道２３３を伝播する入力音声は、第３開口部２３１ｃ及び第１集音道２３３を経由して、第１集音孔２２１ａに入力される。第１マイクロホン２２ａは、図１８に示すように、第１集音孔２２１ａに入力された入力音声の第３音圧に応じた第３音圧レベルＮ１の第１音声信号を生成し、制御回路部３２に出力する。
【００７４】
また、第３集音道２３５に伝播する入力音声は、第４開口部２３１ｄ、第３集音道２３５、及び第２集音道２３４を経由して、第２集音孔２２１ｂに入力される。また、放音道２３２に伝播する入力音声は、第２開口部２３１ｂ、放音道２３２、第１開口部２３１ａ、及び第２集音道２３４を経由して、第２集音孔２２１ｂに入力される。すなわち、第２集音孔２２１ｂには、２つの音道からの入力音声を含む音声が入力される。第２マイクロホン２２ｂは、図１８に示すように、第２集音孔２２１ｂに入力された入力音声の第４音圧に応じた第４音圧レベルＮ２の第２音声信号を生成し、制御回路部３２に出力する。
【００７５】
音圧検出部３２２は、伝送される第１及び第２音声信号の第３及び第４音圧レベルＮ１、Ｎ２を検出する。増幅率調整部３２３は、音圧検出部３２２により検出された第３及び第４音圧レベルＮ１、Ｎ２が次の数式４を満たすように、ゲインＫ１、Ｋ２を設定する。
｜（Ｋ１＊Ｎ１）−（Ｋ２＊Ｎ２）｜＞０      （数式４）
【００７６】
すなわち、増幅率調整部３２３は、増幅後の第１音声信号の第３音圧レベル（Ｋ１＊Ｎ１）と、増幅後の第２音声信号の第４音圧レベル（Ｋ２＊Ｎ２）との差が０よりも大きくなるように、ゲインＫ１、Ｋ２を設定する。出力制御部３２１は、増幅率調整部３２３により設定されたゲインＫ１，Ｋ２を用いて、第１及び第２音声信号を増幅し、それらの差分音声信号を生成する。
【００７７】
こうすれば、増幅後の第１及び第２音声信号に基づく差分音声信号の音声レベルは０より大きくなる。そのため、入力音声が互いに打ち消し合うことなく、第１及び第２マイクロホン２２ａ、２２ｂに入力される外部音源からの入力音声（ユーザの話し声など）を送話することができる。
（（エコー成分の抑制））
【００７８】
実際には、第１及び第２マイクロホン２２ａ、２２ｂでは、スピーカ２１の出力音声と、外部音源からの入力音声（ユーザの話し声など）とが同時に集音される。そのため、ゲインＫ１、Ｋ２は、上述の数式４を満たす条件において、上述の数式３の左辺がより小さくなるように設定される。こうすれば、イヤホンマイク１にエコー抑制機能を実現することができるとともに、エコー抑制機能によりスピーカ２１の出力音声のエコー成分を抑制した入力音声を電子機器（不図示）に送話することができる。
【００７９】
以上、本発明の実施形態について説明した。なお、上述の実施形態は例示であり、その各構成要素や各処理の組み合わせに色々な変形が可能であり、本発明の範囲にあることは当業者に理解されるところである。
【００８０】
たとえば、上述の第１及び第２実施形態では、増幅率調整部３２３は、音圧検出部３２２の検出結果に基づいて、ゲインＫ１、Ｋ２の両方を自動的に設定するが、本発明の適用範囲はこの構成に限定されない。増幅率調整部３２３は、音圧検出部３２２の検出結果に基づいて、ゲインＫ１、Ｋ２のうちの一方のみを自動的に設定してもよい。こうすれば、イヤホンマイク１はより簡易な構成でエコー抑制機能を実現することができる。
【００８１】
また、上述の第１及び第２実施形態では、スピーカ２１の出力音声が第１及び第２マイクロホン２２ａ、２２ｂに集音される場合、ゲインＫ１、Ｋ２は、増幅後の第１及び第２音声信号の第１及び第２音圧レベルの差｜Ｋ１＊Ｍ１−Ｋ２＊Ｍ２｜がほぼ０となるような条件に設定される。しかしながら、本発明の適用範囲はこの構成に限定されない。ゲインＫ１、Ｋ２は、第１及び第２音圧レベルの差｜Ｋ１＊Ｍ１−Ｋ２＊Ｍ２｜が、第１及び第２音声信号の増幅前よりも増幅後の方が小さくなるような条件に設定されればよい。こうすれば、イヤホンマイク１は、エコー抑制機能を実現することができる。
【００８２】
また、上述の第１及び第２実施形態では、外部音源からの入力音声が第１及び第２マイクロホン２２ａ、２２ｂに集音される場合、ゲインＫ１、Ｋ２は、増幅後の第１及び第２音声信号の第３及び第４音圧レベルの差が０よりも大きくなる条件（数式２及び４参照）に設定される。ここで、イヤホンマイク１が送話する入力音声は、第３及び第４音圧レベルの差｜Ｋ１＊Ｎ１−Ｋ２＊Ｎ２｜が最大となる条件で、最も大きくなる。従って、ゲインＫ１、Ｋ２は、差｜Ｋ１＊Ｎ１−Ｋ２＊Ｎ２｜が最大となる条件に設定されることが望ましい。こうすれば、スピーカ２１の出力音声のエコー成分に由来するノイズが除去された入力音声の音圧レベルを最大にすることができる。従って、外部音源からイヤホンマイク１に入力される入力音声を最も高い音圧レベルで送話することができる。
【００８３】
また、上述の第１及び第２実施形態では、第１及び第２マイクロホン２２ａ、２２ｂに出力音声及び入力音声が同時に集音される場合、ゲインＫ１、Ｋ２は、上述の数式２（又は数式４）を満たす条件において、上述の数式１（又は数式３）の左辺がより小さくなるように設定される。このとき、ゲインＫ１、Ｋ２は、上述の数式１及び数式２（又は、数式３及び数式４）をともに満たすように設定されることが望ましい。こうすれば、イヤホンマイク１のエコー抑制機能を最大限に発揮することにより、スピーカ２１の出力音声のエコー成分をほぼ除去した入力音声を電子機器（不図示）に送話することができる。
【００８４】
さらに、このような場合、ゲインＫ１、Ｋ２は、上述の数式１（又は数式３）を満たす条件において、数式２（又は数式４）が最大となる条件（すなわち第３及び第４音圧レベルの差｜Ｋ１＊Ｎ１−Ｋ２＊Ｎ２｜が最大となる条件）に設定されることがより望ましい。こうすれば、イヤホンマイク１は、スピーカ２１の出力音声のエコー成分をほぼ除去した入力音声を電子機器（不図示）に送話することができる。
【００８５】
また、上述の第１及び第２実施形態では、放音道２３２、第１〜第３集音道２３３〜２３５、及び第１〜第４開口部２３１ａ〜２３１ｄには、伝播する音声を遮断及び減衰させる部材は配置されていないが、本発明はこれらの構成に限定されない。図１９は、第１実施形態に係るイヤホンマイクの他の一例を示す概念構成図である。また、図２０は、第２実施形態に係るイヤホンマイクの他の一例を示す概念構成図である。図１９及び図２０に示すように、放音道２３２、第１〜第３集音道２３３〜２３５、及び第１〜第４開口部２３１ａ〜２３１ｄには、通過する音声を遮断或いは減衰させる音響抵抗部材２４が設けられていてもよい。なお、図１９及び図２０の例示に限定されず、音響抵抗部材２４は、放音道２３２、第１〜第３集音道２３３〜２３５、及び第１〜第４開口部２３１ａ〜２３１ｄのうちの少なくとも１つに設けられていてもよい。こうすれば、ゲインＫ１、Ｋ２の設定に加えて、音響抵抗部材２４の音響抵抗によっても、外部音源の入力音声を集音するとともにエコー成分の集音を抑制することができる。従って、イヤホンマイク１の設計の自由度を高めることができ、より容易にエコー抑制機能を実現することができる。
【００８６】
また、上述の第１及び第２実施形態では、図１のようにイヤホンマイク１は本体部２を１つ備えているが、本発明はこの構成に限定されない。イヤホンマイク１は、本体部２を２つ備えていてもよい。さらに、２つの本体部２のうちの一方はエコー抑制機能を有していなくてもよい。言い換えると、一方では、スピーカ２１は搭載されるが、第１及び第２マイクロホン２２ａ、２２ｂは搭載されない構成であってもよい。こうすれば、ユーザは、両方の耳でイヤホンマイク１の出力音声を聴くことができる。
【００８７】
また、上述の第１及び第２実施形態では、イヤホンマイク１のエコー抑制機能を実現する構成を理解し易くするために、イヤホンマイク１の概念構成図及び集音ブロック図を、図８〜図１１と、図１２及び図１５〜図１８とに分けて説明した。図１２及び図１５〜図１８に示す構成は、音声が第３集音道２３５を伝播しない構成とすれば、実質的に図８〜図１１と同様に考えることができる。
【００８８】
以上に説明した実施形態では、イヤホンマイク１は、１つのスピーカ２１と、第１及び第２マイクロホン２２ａ、２２ｂと、音響空間が形成される本体筐体２３と、出力制御部３２１と、を備える。また、出力制御部３２１は、第１及び第２マイクロホン２２ａ、２２ｂのうちの少なくとも一方から出力される音声信号を増幅する。音響空間は、放音道２３２と第１集音道２３３と第２集音道２３４とを含む。放音道２３２には、スピーカ２１の出力音声が伝播する。第１集音道２３３は本体筐体２３の外部に連通する。また、第１集音道２３３には、第１マイクロホン２２ａに入力される音声が伝播する。第２集音道２３４には、第２マイクロホン２２ｂに入力される音声が伝播する。また、放音道２３２は、本体筐体２３の外部に連通する一方の経路と、第２集音道２３４に連通する他方の経路と、に分岐する。イヤホンマイク１は、音声信号の増幅により、本体筐体２３の外部音源からの入力音声（たとえば、ユーザの話し声など）を集音するとともに、スピーカ２１の出力音声の集音を抑制する。
【００８９】
この構成によれば、イヤホンマイク１は１つのスピーカ２１を備える。また、放音道２３２は、本体筐体２３の外部に連通する一方の経路と、第２集音道２３４と連通する他方の経路と、に分岐する。そのため、スピーカ２１の出力音声は、一方の経路及び第１集音道２３３を経由して第１マイクロホン２２ａに伝播するとともに、他方の経路及び第２集音道２３４を経由して第２マイクロホン２２ｂにも伝播する。さらに、イヤホンマイク１は、第１及び第２マイクロホン２２ａ、２２ｂのうちの少なくとも一方から出力される音声信号の増幅により、外部音源からの入力音声を集音するとともに、スピーカ２１の出力音声の集音を抑制する。そのため、イヤホンマイク１は、複数のスピーカ２１を必要とすることなく、スピーカ２１の出力音声のエコー抑制機能を実現することができる。さらに、イヤホンマイク１は、スピーカ２１の出力音声に由来するノイズを抑制しつつ、入力音声を送話することができる。従って、小型化が可能で安価なエコー抑制機能を有するイヤホンマイク１を提供することができる。
【００９０】
また、以上に説明した実施形態では、イヤホンマイク１は、音声信号の音圧レベルを検出する音圧検出部３２２と、音圧検出部３２２の検出結果に基づいて、音声信号のゲイン（増幅率）Ｋ１、Ｋ２を設定する増幅率調整部３２３と、をさらに備える。また、音声信号のゲインＫ１、Ｋ２は、第１マイクロホン２２ａに入力されるスピーカ２１の出力音声に基づく第１音声信号の第１音圧レベルＭ１と、第２マイクロホン２２ｂに入力される出力音声に基づく第２音声信号の第２音圧レベルＭ２との差が、音声信号の増幅前よりも音声信号の増幅後の方が小さくなるように設定される。さらに、ゲインＫ１、Ｋ２は、第１マイクロホン２２ａに入力される外部音源からの入力音声に基づく第１音声信号の第３音圧レベルＮ１、及び第２マイクロホン２２ｂに入力される入力音声に基づく第２音声信号の第４音圧レベルＮ４のうちの一方が他方よりも大きくなるように設定される。
【００９１】
この構成によれば、音圧検出部３２２の検出結果に基づいて、増幅率調整部３２３は音声信号のゲインＫ１、Ｋ２を設定する。また、ゲインＫ１、Ｋ２の設定により、第１及び第２マイクロホン２２ａ、２２ｂに入力されるスピーカ２１の出力音声を互いに弱め合うようにすることができる。一方、第１及び第２マイクロホン２２ａ、２２ｂに入力される外部音源の入力音声（たとえばユーザの話し声など）は互いに打ち消し合わないようにすることができる。従って、スピーカ２１の出力音声に由来するノイズを抑制しつつ、入力音声を送話することができる。
【００９２】
さらに、音声信号のゲインＫ１、Ｋ２は、第１音圧レベルＭ１が第２音圧レベルＭ２とほぼ等しくなり、且つ、第３及び第４音圧レベルＮ１、Ｎ２のうちの一方が他方よりも大きくなるように設定されることが望ましい。
【００９３】
こうすれば、音声信号のゲインＫ１、Ｋ２の設定により、第１及び第２マイクロホン２２ａ、２２ｂに入力されるスピーカ２１の出力音声が互いに打ち消し合うようにすることができる。一方、第１及び第２マイクロホン２２ａ、２２ｂに入力される外部音源の入力音声（たとえばユーザの話し声など）は互いに打ち消し合わないようにすることができる。従って、スピーカ２１の出力音声をノイズとして混入させることなく、入力音声を送話することができる。
【００９４】
さらに、音声信号のゲインＫ１、Ｋ２は、第１音圧レベルＭ１が第２音圧レベルＭ２とほぼ等しくなり、且つ、第３及び第４音圧レベルＮ１、Ｎ２の差が最も大きくなるように設定されることがより望ましい。
【００９５】
こうすれば、音声信号のゲインＫ１、Ｋ２の設定により、第１及び第２マイクロホン２２ａ、２２ｂに入力されるスピーカ２１の出力音声が互いに打ち消し合うようにすることができる。一方、第１及び第２マイクロホン２２ａ、２２ｂに入力される外部音源の入力音声（たとえばユーザの話し声など）が最も大きくなるようにすることができる。従って、スピーカ２１の出力音声をノイズとして混入させることなく、入力音声を送話することができる。
【００９６】
また、以上に説明した実施形態では、第１マイクロホン２２ａから出力される第１音声信号は、第２マイクロホン２２ｂから出力される第２音声信号よりも大きく増幅されることが好ましい。
【００９７】
この構成によれば、第１音声信号が第２音声信号よりも大きく増幅される。第１マイクロホン２２ａよりも第２マイクロホン２２ｂの方がより多くの経路からスピーカ２１の出力音声が入力される。そのため、通常、第１音声信号の第１音圧レベルＭ１は第２音声信号の第２音圧レベルＭ２よりも小さくなる。従って、第１音声信号を第２音声信号よりも大きく増幅することにより、第１及び第２音声信号のうちの少なくとも一方のゲインＫ１、Ｋ２をさほど大きくすることなく、エコー抑制機能を実現することができる。
【符号の説明】
【００９８】
１          イヤホンマイク
２          本体部
２１          スピーカ
２１ａ          放音孔
２２ａ        第１マイクロホン
２２１ａ        第１集音孔
２２ｂ        第２マイクロホン
２２１ｂ        第２集音孔
２３          本体筐体
２３ａ          挿通部
２３１ａ、２３１ｂ、２３１ｃ、２３１ｄ      第１〜第４開口部
２３２          放音道
２３３          第１集音道
２３４          第２集音道
２３５          第３集音道
２４          音響抵抗部材
２５        イヤーパッド
３          制御ユニット
３１          操作部
３２          制御回路部
３２１          出力制御部
３２２          音圧検出部
３２３          増幅率調整部
３３          電源部
３５          筐体部
４１        第１ケーブル
４２        第２ケーブル
５          コネクタ
ＥＡＲ      耳
Ｅ１        鼓膜
Ｅ２        外耳道
【図１】
2014160948.tif 000003
【図２】
2014160948.tif 000004
【図３】
2014160948.tif 000005
【図４】
2014160948.tif 000006
【図５】
2014160948.tif 000007
【図６Ａ】
2014160948.tif 000008
【図６Ｂ】
2014160948.tif 000009
【図６Ｃ】
2014160948.tif 000010
【図７】
2014160948.tif 000011
【図８】
2014160948.tif 000012
【図９】
2014160948.tif 000013
【図１０】
2014160948.tif 000014
【図１１】
2014160948.tif 000015
【図１２】
2014160948.tif 000016
【図１３】
2014160948.tif 000017
【図１４Ａ】
2014160948.tif 000018
【図１４Ｂ】
2014160948.tif 000019
【図１５】
2014160948.tif 000020
【図１６】
2014160948.tif 000021
【図１７】
2014160948.tif 000022
【図１８】
2014160948.tif 000023
【図１９】
2014160948.tif 000024
【図２０】
2014160948.tif 000025